(57)【要約】【課題】複数の客がそれぞれ支払う正確な金額を容易に算出する。【解決手段】店舗における客が注文した商品の商品名と当該商品を取り分ける人数とが当該商品ごとにハンディターミナル１０１−１〜１０１−ｎに入力され、ハンディターミナル１０１−１〜１０１−ｎに入力された商品名と人数とに基づいて、ＰＯＳ端末１０２にて当該商品の人数単位の金額が当該商品ごとに計算され、計算された金額が表示される。【選択図】図１
2008123418.tif 000002
【特許請求の範囲】
【請求項１】
店舗における客の注文を処理するための注文情報処理システムであって、
前記客が注文した商品の商品名と該商品を取り分ける人数とが該商品ごとに入力されるオーダー入力端末と、
前記オーダー入力端末に入力された商品名と人数とに基づいて、当該商品の人数単位の金額を該商品ごとに計算し、前記計算された金額を表示する精算端末とを有する注文情報処理システム。
【請求項２】
請求項１に記載の注文情報処理システムにおいて、
前記精算端末は、前記客が注文した商品の商品名と該商品を取り分ける人数とが該商品ごとに入力される入力部を有し、前記入力部に入力された商品名と人数とに基づいて、当該商品の人数単位の金額を該商品ごとに計算し、前記計算された金額を表示することを特徴とする注文情報処理システム。
【請求項３】
請求項１または請求項２に記載の注文情報処理システムにおいて、
前記精算端末は、前記計算された金額を印刷することを特徴とする注文情報処理システム。
【請求項４】
客が注文する商品の商品名と該商品を取り分ける人数とが該商品ごとに入力される端末を有する店舗における注文情報処理方法であって、
前記端末に入力された商品名と人数とに基づいて、当該商品の人数単位の金額を該商品ごとに計算する処理と、
前記計算された金額を表示する処理とを有する注文情報処理方法。
【請求項５】
請求項４に記載の注文情報処理方法において、
前記計算された金額を印刷する処理を有することを特徴とする注文情報処理方法。
【請求項６】
コンピュータに、
入力された客が注文する商品の商品名と該商品を取り分ける人数とに基づいて、当該商品の人数単位の金額を該商品ごとに計算する手順と、
前記計算された金額を表示する手順とを実行させるためのプログラム。
【請求項７】
請求項６に記載のプログラムにおいて、
前記計算された金額を印刷する手順をコンピュータに実行させるためのプログラム。
【発明の詳細な説明】
【技術分野】
【０００１】
本発明は、レストラン等の飲食店にて商品の注文及び精算を行う注文情報処理システム、注文情報処理方法及びプログラムに関し、特に、複数の客に対して商品の注文及び精算を行う注文情報処理システム、注文情報処理方法及びプログラムに関する。
【背景技術】
【０００２】
一般的に、レストラン等の飲食店にて複数の客で飲食をした場合、飲食代の精算時に合計金額を客の人数で割った割り勘精算が行われることが多い。この割り勘精算については、客や店員が計算するのではなく、人数や商品に変更が生じた場合であってもシステムにて注文ごとに商品の合計金額と注文時の人数とに応じた割り勘金額の計算を行う技術が考えられている（例えば、特許文献１参照。）。
【０００３】
また、精算を行う装置に分割キーを設けることにより、その商品を商品単位だけではなく、予め設定された分割数単位でも注文及び精算を行うことができる技術が考えられている（例えば、特許文献２参照。）。
【特許文献１】特開２００５−１６５７５６号公報
【特許文献２】特開２０００−３２２６５９号公報
【発明の開示】
【発明が解決しようとする課題】
【０００４】
しかしながら、単に合計金額を人数で割った割り勘精算では、低い金額の商品を飲食した客にとって高い金額の商品を飲食した客に対する不公平感が生じることがある。そのため、それぞれの客が飲食した商品を精算時にそれぞれの客が申告することにより、申告された商品の金額だけを当該商品を飲食した客が支払う精算方法もとられる。
【０００５】
ここで、飲食店等にて商品の注文及び精算を行う際、メニューに並んだ個々の商品単位での注文及び精算が行われているため、複数の人数の客が飲食をした場合であっても、通常の１人前の商品を１人の客が個々に注文した場合は問題ない。しかし例えば、大皿料理のような複数の客が取り分けて飲食するような商品を注文した場合や、通常の１人前の商品であっても、複数の客が少しずつ取り分けて飲食するために複数の１人前の商品を注文した場合は、精算時にそれぞれの客が支払う金額について複雑な計算をしなければならないという問題点がある。
【０００６】
例えば、Ａ，Ｂ及びＣの３人の客が飲食店にて飲食をし、その際、１皿の大盛りパスタをＡとＢとが取り分けて食べ、また１枚のピザをＢとＣとが取り分けて食べ、さらに１つのホールケーキをＡとＢとＣとの３人が取り分けて食べた場合、Ａ，Ｂ及びＣが支払う金額の計算が複雑になってしまう。
【０００７】
本発明は、上述したような従来の技術が有する問題点に鑑みてなされたものであって、複数の客がそれぞれ支払う正確な金額を容易に算出することができる注文情報処理システム、注文情報処理方法及びプログラムを提供することを目的とする。
【課題を解決するための手段】
【０００８】
上記目的を達成するために本発明は、
店舗における客の注文を処理するための注文情報処理システムであって、
前記客が注文した商品の商品名と該商品を取り分ける人数とが該商品ごとに入力されるオーダー入力端末と、
前記オーダー入力端末に入力された商品名と人数とに基づいて、当該商品の人数単位の金額を該商品ごとに計算し、前記計算された金額を表示する精算端末とを有する。
【０００９】
また、前記精算端末は、前記客が注文した商品の商品名と該商品を取り分ける人数とが該商品ごとに入力される入力部を有し、前記入力部に入力された商品名と人数とに基づいて、当該商品の人数単位の金額を該商品ごとに計算し、前記計算された金額を表示することを特徴とする。
【００１０】
また、前記精算端末は、前記計算された金額を印刷することを特徴とする。
【００１１】
また、客が注文する商品の商品名と該商品を取り分ける人数とが該商品ごとに入力される端末を有する店舗における注文情報処理方法であって、
前記端末に入力された商品名と人数とに基づいて、当該商品の人数単位の金額を該商品ごとに計算する処理と、
前記計算された金額を表示する処理とを有する。
【００１２】
また、前記計算された金額を印刷する処理を有することを特徴とする注文情報処理方法。
【００１３】
また、入力された客が注文する商品の商品名と該商品を取り分ける人数とに基づいて、当該商品の人数単位の金額を該商品ごとに計算する手順と、
前記計算された金額を表示する手順とをコンピュータに実行させるためのプログラム。
【００１４】
また、前記計算された金額を印刷する手順をコンピュータに実行させる。
【００１５】
上記のように構成された本発明においては、店舗における客が注文した商品の商品名と当該商品を取り分ける人数とが当該商品ごとにオーダー入力端末に入力され、オーダー入力端末に入力された商品名と人数とに基づいて、精算端末にて当該商品の人数単位の金額が当該商品ごとに計算され、計算された金額が表示される。
【００１６】
これにより、複数の客が精算を個々に行いたい場合、精算時にはすでに分割された金額が表示されているため、その商品を飲食した客がその金額を容易に把握することができる。その上、精算に手間がかからないため、無駄な時間を削減することができる。
【発明の効果】
【００１７】
以上説明したように本発明においては、入力された客が注文する商品の商品名と当該商品を取り分ける人数とに基づいて、当該商品の人数単位の金額を当該商品ごとに計算し、計算された金額を表示する構成としたため、複数の客それぞれが支払う正確な金額を容易に算出することができる。
【発明を実施するための最良の形態】
【００１８】
以下に、本発明の実施の形態について図面を参照して説明する。
【００１９】
図１は、飲食店等の店舗における本発明の注文情報処理システムの実施の一形態を示す図である。
【００２０】
本形態は図１に示すように、ハンディターミナル１０１−１〜１０１−ｎと、ＰＯＳ端末１０２と、キッチンプリンタ１０３と、管理サーバ１０４とから構成されているＰＯＳ（Point Of Sales）システムである。
【００２１】
ハンディターミナル１０１−１〜１０１−ｎは、飲食店等の店員によって客が注文した商品の商品名及び数量等が注文情報として入力されるオーダー入力端末である。ＰＯＳ端末１０２は、ハンディターミナル１０１−１〜１０１−ｎと無線によって接続され、客の飲食代を精算する精算端末である。キッチンプリンタ１０３は、飲食店等の厨房に設置され、ハンディターミナル１０１−１〜１０１−ｎに入力された注文情報を印刷する。管理サーバ１０４は、飲食店等の売上やシステム全体を管理するサーバである。なお、ハンディターミナル１０１−１〜１０１−ｎに入力された注文情報は送信データとして、ＰＯＳ端末１０２及びキッチンプリンタ１０３に送信される。
【００２２】
図２は、図１に示したハンディターミナル１０１−１の外観構成を示す図である。
【００２３】
図１に示したハンディターミナル１０１−１には図２に示すように、表示部１１１と、ボタンキー１１２とが設けられている。
【００２４】
ボタンキー１１２は、店員によって情報が入力されるために操作される従来のキーである。表示部１１１は、ボタンキー１１２の操作によって入力された情報等を表示する。なお、ハンディターミナル１０１−２〜１０１−ｎの外観構成についてもハンディターミナル１０１−１の外観構成と同様である。
【００２５】
図３は、図１に示したＰＯＳ端末１０２の内部構成を示す図である。
【００２６】
図１に示したＰＯＳ端末１０２は図３に示すように、記憶部１２２と、通信部１２３と、入力部１２４と、表示部１２５と、印刷部１２６と、ドロワ１２７と、これらを制御するＣＰＵ１２１とから構成されている。
【００２７】
記憶部１２２は、ＰＯＳ端末１０２を制御するプログラムや商品の商品名や価格等の商品情報を記憶している。通信部１２３は、ハンディターミナル１０１−１〜１０１−ｎから送信された客の注文情報を受信し、受信された注文情報をキッチンプリンタ１０３へ送信し、また、売上を管理する管理サーバ１０４に精算結果を送信する。入力部１２４は、店員または客の操作によって外部から情報を入力する。表示部１２５は、入力部１２４に入力された内容及び通信部１２３にて受信された注文情報等を表示するディスプレイである。印刷部１２６は、ＣＰＵ１２１にて計算された精算結果を印刷する。ドロワ１２７は、現金等を収容する。なお、ハンディターミナル１０１−１〜１０１−ｎから送信され、通信部１２３にて受信された客の注文情報は、注文された商品の金額とともに記憶部１２２に記憶されるものであっても良い。
【００２８】
以下に、図１〜３に示した注文情報処理システムにおける注文情報処理方法について説明する。
【００２９】
図４は、図１〜３に示した注文情報処理システムにおける注文情報処理方法を説明するためのシーケンス図である。ここで、図１に示したハンディターミナル１０１−１〜１０１−ｎのうちハンディターミナル１０１−１を用いて注文処理が行われる場合を例に挙げて説明する。なお、図１に示したハンディターミナル１０１−２〜１０１−ｎを用いた場合であってもハンディターミナル１０１−１を用いた場合と同様の処理が行われるものである。
【００３０】
まず、ハンディターミナル１０１−１が起動すると、ハンディターミナル１０１−１の表示部１１１に注文可能な商品の商品名が一覧となったメニュー画面が表示される（ステップＳ１）。
【００３１】
図５は、ハンディターミナル１０１−１の表示部１１１に表示されたメニュー画面の一例を示す図である。
【００３２】
図５に示すようにハンディターミナル１０１−１の表示部１１１には、注文可能な商品の商品名が一覧となったメニュー画面が表示される。メニュー画面では、それぞれの商品名がメニューキー１１３となって表示され、また、入力された内容を取り消すための取り消しキー１１４と、入力された１つの商品を複数人で取り分けて飲食する場合、その人数を入力するための画面を表示させるためのシェアキー１１５と、入力の完了を指示するための完了キー１１６とが表示されている。ここでは、メニューキー１１３の一例として、パスタ大盛り、パスタ並盛り、リゾット、グラタン、ピザ、スープ、サラダ及びワインといった商品名が表示されている。これらのキーは、ハンディターミナル１０１−１のボタンキー１１２の上下左右キー等のポインタ（図５に示した矢印）を移動させるためのキー等を操作してポインタを移動させて選択されることにより選択されたキーの内容がハンディターミナル１０１−１に入力されるものである。
【００３３】
そして、客が注文した商品の商品名を店員がメニューキー１１３の中から選択すると（ステップＳ２）、続いてシェアキー１１５が選択されたかどうかが判断される（ステップＳ３）。
【００３４】
シェアキー１１５が選択されたと判断された場合、ハンディターミナル１０１−１の表示部１１１にステップＳ２にて選択された商品名の商品を取り分けて飲食する人数を入力するための入力画面（シェア画面）が表示される（ステップＳ４）。
【００３５】
なお、図４に示したメニューキー１１３、取り消しキー１１４、シェアキー１１５、完了キー１１６はハンディターミナル１０１−１の表示部１１１に表示されるものではなく、ハンディターミナル１０１−１のボタンキー１１２のうちのいずれか１つにそれぞれ割り当てられているものであっても良い。
【００３６】
図６は、ハンディターミナル１０１−１の表示部１１１に表示されたシェア画面の一例を示す図である。
【００３７】
図６に示すようにハンディターミナル１０１−１の表示部１１１には、人数を入力するための「０」〜「９」の人数入力キー１１７と、人数の入力を中止するための戻るキー１１８と、人数を入力後、入力された人数を登録するための登録キー１１９とが表示される。
【００３８】
そして、店員が人数を人数入力キー１１７を用いて入力し、登録キー１１９を選択することにより、当該商品を取り分けて飲食する人数であるシェア数が決定されると（ステップＳ５）、ハンディターミナル１０１−１の表示部１１１に再度メニュー画面が表示される。
【００３９】
その後、完了キー１１６が選択されたかどうかが判断される（ステップＳ６）。ステップＳ３にてシェアキー１１５が選択されたと判断されなかった場合も、ステップＳ６の処理が行われる。
【００４０】
完了キー１１６が選択されたと判断されない場合、完了キー１１６が選択されたと判断されるまで、ステップＳ１〜Ｓ５の処理が繰り返される。つまり、注文したいすべての商品の商品名の入力が完了するまで、ステップＳ１〜Ｓ５の処理が繰り返されることとなる。
【００４１】
ステップＳ６にて完了キー１１６が選択されたと判断された場合は、注文情報がハンディターミナル１０１−１からＰＯＳ端末１０２へ送信される（ステップＳ７）。この注文情報は、メニュー画面で入力された商品名と、シェア画面で決定されたシェア数とが対応付けられた情報である。
【００４２】
図７は、ハンディターミナル１０１−１からＰＯＳ端末１０２へ送信される注文情報の一例である。
【００４３】
図７に示した注文情報は、パスタ大盛りのシェア数が２であり、また、ピザのシェア数が２であり、また、スープのシェア数が１であり、また、サラダのシェア数が４であり、また、ワインのシェア数が４である情報となっている。
【００４４】
ハンディターミナル１０１−１から送信された注文情報がＰＯＳ端末１０２の通信部１２３にて受信されると（ステップＳ８）、受信された注文情報がそのまま通信部１２３からキッチンプリンタ１０３へ送信される（ステップＳ９）。
【００４５】
キッチンプリンタ１０３にて注文情報が受信されると（ステップＳ１０）、受信された注文情報が印刷される（ステップＳ１１）。
【００４６】
図８は、図１に示したキッチンプリンタ１０３によって印刷された注文情報の一例を示す図である。
【００４７】
キッチンプリンタ１０３によって印刷された注文情報は図８に示すように、何の商品が注文され、注文された商品が何人の客が取り分けて飲食されるかがわかるように表示されている。例えば、パスタ大盛りが注文され、そのパスタ大盛りは２人の客が取り分けて食べることが表示されている。また、ピザが注文され、そのピザは２人の客が取り分けて食べることが表示されている。また、スープが注文され、そのスープは１人の客が食べることが表示されている。また、サラダが注文され、そのサラダは４人の客が取り分けて食べることが表示されている。また、ワインが注文され、そのワインは４人の客が飲むことが表示されている。
【００４８】
これにより、注文された商品が何人の客によって取り分けられて飲食されるかを厨房にて把握することができ、調理を行う者がその人数に応じた盛り付けを行うことができるため、予め取り分けた状態で商品を提供することが可能となる。
【００４９】
一方、ＰＯＳ端末１０２の通信部１２３にて受信された注文情報に基づいて、記憶部１２２に予め記憶されている商品情報のうちの価格がＣＰＵ１２１によって読み出される（ステップＳ１２）。
【００５０】
ここで、記憶部１２２に予め記憶されている商品情報は、注文可能な商品の商品名とその価格とが対応付けられた情報である。したがって、ＰＯＳ端末１０２の通信部１２３にて受信された注文情報のうちの商品名を検索キーとしてその商品の価格が読み出されることとなる。
【００５１】
そして、記憶部１２２から読み出された価格と、ＰＯＳ端末１０２の通信部１２３にて受信された注文情報のうちのシェア数に基づいて、分割された金額がＣＰＵ１２１にて計算される（ステップＳ１３）。この計算式は、
分割された金額＝（読み出された価格）÷（シェア数）
である。
【００５２】
その後、ＣＰＵ１２１にて計算された金額が精算情報として、表示部１２５に表示されるか、または印刷部１２６にて印刷される（ステップＳ１４）。
【００５３】
図９は、図３に示した表示部１２５に表示された精算情報の一例を示す図である。なお、ここでは、パスタ大盛りの単価が１０００円、ピザの単価が６００円、スープの単価が４００円、サラダの単価が８００円、及びワインの単価が１６００円とした。
【００５４】
表示部１２５に表示された精算情報は図９に示すように、各商品についてそれぞれの分割後の金額が表示されている。例えば、単価１０００円のパスタ大盛りのシェア数が２であるため、分割された金額である５００円がシェア数だけ表示される。また、単価６００円のピザのシェア数が２であるため、分割された金額である３００円がシェア数だけ表示される。また、単価４００円のスープは、分割されないため、単価である４００円がそのまま表示される。また、単価８００円のサラダのシェア数が４であるため、分割された金額である２００円がシェア数だけ表示される。また、単価１６００円のワインのシェア数が４であるため、分割された金額である４００円がシェア数だけ表示される。なお、上述した計算式で割り切れない場合は、小数点以下を切り上げる等の処理が行われ、分割された金額の合計値と単価とが等しくなるように調整される。また、表示部１２５に表示された精算情報が、印刷部１２６によって印刷される場合も、同様の情報が印刷される。
【００５５】
なお、ＰＯＳ端末１０２において、ハンディターミナル１０１−１におけるステップＳ１〜Ｓ７の処理が行われるものであっても良い。この場合、飲食前に食券を購入するシステムと同様に、飲食前に客または店員が商品の商品名及び人数をＰＯＳ端末１０２の入力部１２４に入力するものが考えられる。
【００５６】
以上により、複数の客が精算を個々に行いたい場合、精算時にはすでに分割された金額が表示されているため、その商品を飲食した客がその金額を容易に把握することができる。その上、精算に手間がかからないため、無駄な時間を削減することができる。
【００５７】
また、本発明においては、記憶部１２２に予め記憶されたプログラムがＣＰＵ１２１の起動の際にＣＰＵ１２１にて読み込まれて動作するが、プログラムが予め記憶された記憶部１２２は、例えば、フロッピーディスク、光磁気ディスク、ＤＶＤ、ＣＤなどの移設可能な記録媒体の他、ＰＯＳ端末１０２に内蔵されたＨＤＤ等を指す。
【図面の簡単な説明】
【００５８】
【図１】飲食店等の店舗における本発明の注文情報処理システムの実施の一形態を示す図である。
【図２】図１に示したハンディターミナルの外観構成を示す図である。
【図３】図１に示したＰＯＳ端末の内部構成を示す図である。
【図４】図１〜３に示した注文情報処理システムにおける注文情報処理方法を説明するためのシーケンス図である。
【図５】ハンディターミナルの表示部に表示されたメニュー画面の一例を示す図である。
【図６】ハンディターミナルの表示部に表示されたシェア画面の一例を示す図である。
【図７】ハンディターミナルからＰＯＳ端末へ送信される注文情報の一例である。
【図８】図１に示したキッチンプリンタによって印刷された注文情報の一例を示す図である。
【図９】図３に示した表示部に表示された精算情報の一例を示す図である。
【符号の説明】
【００５９】
１０１−１〜１０１−ｎ    ハンディターミナル
１０２    ＰＯＳ端末
１０３    キッチンプリンタ
１０４    管理サーバ
１１１，１２５    表示部
１１２    ボタンキー
１１３    メニューキー
１１４    取り消しキー
１１５    シェアキー
１１６    完了キー
１１７    人数入力キー
１１８    戻るキー
１１９    登録キー
１２１    ＣＰＵ
１２２    記憶部
１２３    通信部
１２４    入力部
１２６    印刷部
１２７    ドロワ
【図１】
2008123418.tif 000003
【図２】
2008123418.tif 000004
【図３】
2008123418.tif 000005
【図４】
2008123418.tif 000006
【図５】
2008123418.tif 000007
【図６】
2008123418.tif 000008
【図７】
2008123418.tif 000009
【図８】
2008123418.tif 000010
【図９】
2008123418.tif 000011